(57)【要約】【課題】半導体レーザー素子の位置及び向きを調整する機構の部品点数を削減し、その構成を簡略化した光ピックアップ装置を提供する。【解決手段】半導体レーザー素子３１を保持するホルダー３２に、共通の中心軸を持つ円弧形状部を有する一対の突起４５を設け、光学ベース３３にこれら突起に対応するＶ字溝３４を形成する。ホルダーの突起を光学ベースのＶ字溝に押し当て、ホルダーを回動させることで半導体レーザー素子の向きを調整する。半導体レーザー素子の位置調整を行う機構を設けず、立ち上げミラー３５の傾き調整により、同等の効果を得る。【選択図】図３
2009223981.tif 000002
【特許請求の範囲】
【請求項１】
光学ベースと、
該光学ベースに半導体レーザー素子を取り付けるために当該半導体レーザー素子を保持するホルダーと、を含み、
該ホルダーが、共通の中心軸を持つ一対の円筒面部を備え、
前記光学ベースが、前記一対の円筒面部に対応する一対のＶ字溝を備え、
前記一対の円筒面を前記一対のＶ字溝に夫々押し当てた状態で、前記中心軸を回転の中心として前記ホルダーを前記光学ベースに対して回動可能にしたことを特徴とする光ピックアップ装置。
【請求項２】
前記光学ベースに対する前記ホルダーの取り付け角度が調整された状態で、前記ホルダーが前記光学ベースに樹脂で固定されていることを特徴とする請求項１の光ピックアップ装置。
【請求項３】
前記光学ベースに取り付けられる立ち上げミラーをさらに有し、前記光学ベースに対する前記立ち上げミラーの取り付け角度を調節可能にしたことを特徴とする請求項１又は２に記載の光ピックアップ装置。
【請求項４】
前記光学ベースに対する前記立ち上げミラーの取り付け角度が調整された状態で、前記立ち上げミラーが前記光学ベースに樹脂で固定されていることを特徴とする請求項３の光ピックアップ装置。
【発明の詳細な説明】
【技術分野】
【０００１】
本発明は、光ピックアップ装置に関し、特に、半導体レーザー素子の位置・角度調整機構を簡略化した光ピックアップ装置に関する。
【背景技術】
【０００２】
従来の光ピックアップ装置は、図１に示すように、光学ベース１１と、半導体レーザーダイオード（ＬＤ）１２と、ＬＤ１２が固定される第１のホルダー１３と、第１のホルダー１３を光学ベース１１に固定する第２のホルダー１４と、第１のホルダー１３を第２のホルダー１４に取り付けるばね１５とを有している。
【０００３】
ＬＤ１２は、第１のホルダー１３に固定される。
【０００４】
第１のホルダー１３は、両側面に一対の円筒突起を有し、これら円筒突起を第２のホルダー１４に形成された半円溝内に位置させるように、ばね１５によって第２のホルダー１４に取り付けられる。第１のホルダー１３は、円筒突起を回転の中心として、第２のホルダー１４に対して回動可能である。
【０００５】
第２のホルダー１４は、光学ベース１１にねじ止めされる。ねじの締め付けを緩めた状態で、第２のホルダー１４は、光学ベース１１の取り付け面に沿って少なくとも一方向に移動可能である。
【０００６】
図１の光ピックアップ装置の組立は以下のように行われる。
【０００７】
まず、ＬＤ１２を第１のホルダー１３に取り付け、接着剤等で固定する。次に、第１のホルダー１３を第２のホルダー１４に取り付け、さらにばね１５を第２のホルダーに取り付ける。これにより、第１のホルダー１３が第２のホルダー１４に保持される。次に、第２のホルダー１４を光学ベース１１に取り付け、軽くねじ止めする。続いて、第２のホルダー１４を動かして、ＬＤ１２の位置調整を行う。さらに、第１のホルダー１３を第２のホルダー１４に対して回動させ、ＬＤ１２の向きを調整する。調整後、固定樹脂によりＬＤ１２の位置及び向きを固定する。図２に組立後の状態を示す。
【０００８】
また、他の従来の光ピックアップ装置として、光学ベースに設けたレーザーダイオードホルダー受けに、第１及び第２の押さえ板を用いてレーザーダイオードホルダーを押圧するようにして、半導体レーザーの位置及び向きを調整できるようにしたものもある（例えば、特許文献１参照）。
【０００９】
さらに別の従来の光ピックアップ装置として、半導体レーザー素子の向きのみを調整可能にしたものとして、ホルダーに形成された円筒部を、受けに形成された溝面に係合させるようにしたものもある（例えば、特許文献２参照）。
【００１０】
【特許文献１】特開２００７−１０２９２７号公報
【特許文献１】特開２００３−４５０４１号公報
【発明の開示】
【発明が解決しようとする課題】
【００１１】
従来の光ピックアップ装置は、２つのホルダーを組み合わせて半導体レーザーダイオードの位置及び向きを調整可能にするものであるため、部品点数が多く、その構成が複雑であるという問題点がある。これは、特許文献１に記載された光ピックアップ装置にも共通する問題点である。また、特許文献２に記載された光ピックアップ装置もまた、受けやばねを必要とするため、同様の問題点を有する。
【００１２】
そこで、本発明は、半導体レーザー素子の位置及び向きを調整する機構の部品点数を削減し、その構成を簡略化した光ピックアップ装置を提供することを目的とする。
【課題を解決するための手段】
【００１３】
本発明の光ピックアップ装置は、光学ベース（３３）と、該光学ベースに半導体レーザー素子（３１）を取り付けるために当該半導体レーザー素子を保持するホルダー（３２）と、を含み、該ホルダーが、共通の中心軸を持つ一対の円筒面部（４４）を備え、前記光学ベースが、前記一対の円筒面部に対応する一対のＶ字溝（３４）を備え、前記一対の円筒面を前記一対のＶ字溝に夫々押し当てた状態で、前記中心軸を回転の中心として前記ホルダーを前記光学ベースに対して回動可能にしたことを特徴とする。
【００１４】
また、本発明の光ピックアップ装置は、前記光学ベースに取り付けられる立ち上げミラー（３５）をさらに有し、前記光学ベースに対する前記立ち上げミラーの取り付け角度を調節可能にしたことを特徴とする。
【００１５】
なお、上記カッコ内の参照符号は、本願発明の理解を容易にすることを目的とするものであって、なんら本発明を限定するものではない。
【発明の効果】
【００１６】
本発明によれば、半導体レーザー素子を保持するホルダーが、共通の中心軸を持つ一対の円筒面部を備え、光学ベースが、ホルダーの一対の円筒面部に対応する一対のＶ字溝を備え、ホルダーの一対の円筒面を光学ベースの一対のＶ字溝に各々押し当てた状態で、ホルダーを光学ベースに対して回動可能にしたことで、部品点数を削減し、構成を簡略化し、コストを削減することができる。
【発明を実施するための最良の形態】
【００１７】
以下、図面を参照して、本発明の実施の形態について詳細に説明する。
【００１８】
図３に、本発明の一実施の形態に係る光ピックアップ装置の概略構成図を示す。
【００１９】
図３の光ピックアップ装置は、半導体レーザー素子（ＬＤ）３１と、ＬＤ３１を保持するホルダー３２と、ホルダー３２が取り付けられる光学ベース３３とを含む。
【００２０】
光学ベース３３のホルダー取り付け部分には、ホルダー３２を受け入れる空所が形成されており、その空所内に一対のＶ字溝３４が形成されている。また、光学ベース３３には、ＬＤ３１の他、立ち上げミラー３５を始めとする光学素子や受光素子等が搭載される。
【００２１】
ホルダー３２は、図４に示すように、枠形状であって大枠部４１とそれより外形の小さい小枠部４２とを有する。大枠部４１の四隅には、ホルダー３２を光学ベース３３に取り付ける際に使用される治具を差し入れる切り取り部４３が形成されている。また、小枠部４２の上下面には、図の上下方向に伸びる共通の中心軸を持つ円筒面部４４を有する一対の突起４５が形成されている。ホルダー３２は、ＬＤ３１の放熱を考慮して、熱伝導に優れる金属製である。
【００２２】
ＬＤ３１は、大枠部４１側から小枠部４２側へ向かってホルダー３２内に挿入され、ホルダー３２に固定される。ＬＤ３１が挿入固定されたホルダー３２は、小枠部４２側を光学ベース３３に向けた状態で光学ベース３３に取り付けられる。光学ベース３３に形成された一対のＶ字溝３４は、ホルダー３２の突起４５に対応しており、ホルダー３２が光学ベースの空所に挿入されたとき、突起４５を受ける。
【００２３】
光学ベース３３のホルダー３２を取り付ける部分に形成された空所は、ホルダー３２の突起４５をこれらのＶ字溝３４に押し当てた状態で、ホルダー３２を一定の範囲で回動させることができるように、ホルダー３２の挿入部分のサイズよりも僅かに大きい。
【００２４】
ホルダー３２を、突起４５の円筒面部４４の中心軸を中心に左右傾く方向に回動させることにより、ＬＤ３１の向き（出射方向）を調節し、固定樹脂によりホルダー３２を光学ベース３３に固定する。固定樹脂は、図５に示す凹所５１に充填され、ホルダー３２の両側を光学ベース３３に固定する。
【００２５】
本実施の形態に係る光学ピックアップ装置では、光学ベース３３に対してＬＤ３１の取り付け位置を調整することができない。そこで、ＬＤ３１の位置調整を行ったのと同様の効果が得られるように、立ち上げミラーの取り付け角度を調整できるようしてある。具体的には、光学素子の立ち上げミラー受け入れ部を、立ち上げミラー３５のサイズより僅かに大きく構成し、立ち上げミラーの角度を空間調整した後、固定樹脂を用いて光学ホルダー３３に固定するようにしている。
【００２６】
本実施の形態によれば、単一のホルダーを用いて半導体レーザー素子を光学ベースに取り付けるので、部品点数の削減と構成の簡略化を実現することができる。
【００２７】
また、ホルダーと光学ベースとが接しているので放熱性に優れている。
【００２８】
以上、本発明について一実施の形態に即して説明したが、本発明は上記実施の形態に限定されるものではなく、本発明の範囲内で種々の改良、変更が可能である。
【００２９】
例えば、上記実施の形態では、光学ベースにホルダーの突起を受けるＶ字溝を形成するものとしたが、光学ベースに対するホルダーの回動を可能にするものであれば、半円形等の他の形状でもよい。
【図面の簡単な説明】
【００３０】
【図１】従来の光ピックアップ装置を説明するための分解斜視図ある。
【図２】図１の光ピックアップ装置の組立後の状態を示す斜視図である。
【図３】本発明の光ピックアップ装置の分解斜視図である。
【図４】図３の光ピックアップ装置に用いられるホルダーの拡大斜視図である。
【図５】固定樹脂の充填位置を説明するための図３の光ピックアップ装置の部分拡大図である。
【符号の説明】
【００３１】
１１    光学ベース
１２    半導体レーザーダイオード
１３    第１のホルダー
１４    第２のホルダー
１５    ばね
３１    半導体レーザー素子
３２    ホルダー
３３    光学ベース
３４    Ｖ字溝
３５    立ち上げミラー
４１    大枠部
４２    小枠部
４３    切り取り部
４４    円筒面部
４５    突起
５１    凹所
【図１】
2009223981.tif 000003
【図２】
2009223981.tif 000004
【図３】
2009223981.tif 000005
【図４】
2009223981.tif 000006
【図５】
2009223981.tif 000007